(57)【要約】【課題】  クロー部材の動作とインスタントフイルムの排出とを妨げることなく、クロー開口の遮光とインスタントフイルムの飛出し防止とを行なう。【解決手段】  複数枚のインスタントフイルム３が積層して収納されるケース本体１５には、インスタントフイルム３が１枚ずつ送り出される排出口１７と、インスタントフイルム３を排出口１７から送り出すクロー部材が挿入されるクロー開口１８とが設けられている。排出口１７の内側には、排出口１７の中央部を塞いで、衝撃や振動等によるインスタントフイルム３の飛び出しを防止する飛出し防止フラップ２３が取り付けられている。クロー開口１８は、遮光性を備えた易切断性材料からなる遮光シート２６によって塞がれている。フイルム送出し時には、遮光シート２６はクロー部材によって切断される。飛出し防止フラップ２３は、インスタントフイルム３に押圧されて排出口１７から一端が突出され、排出口１７を開放する。【選択図】        図２
2005077852.tif 000002
【特許請求の範囲】
【請求項１】
複数枚のインスタントフイルムと、これらのインスタントフイルムを積層して収納するケースと、このケースに設けられ、ケース内に収納されたインスタントフイルムを１枚ずつケース外に排出する排出口と、インスタントフイルムを一枚ずつ掻き出して排出口に送り込むクロー部材が挿入されるクロー開口とを備えたインスタントフイルムパックにおいて、
前記排出口の内側に、排出口の少なくとも一部を塞いでインスタントフイルムが該排出口から飛び出ないようにする飛出し防止部材を取り付けたことを特徴とするインスタントフイルムパック。
【請求項２】
前記飛出し防止部材は、一端がケース内に貼着され、他端が排出口の少なくとも一部を塞ぐように配置された可撓性シートからなり、排出中のインスタントフイルムに押圧されて屈曲し、排出口を開放することを特徴とする請求項１記載のインスタントフイルムパック。
【請求項３】
複数枚のインスタントフイルムと、これらのインスタントフイルムを積層して収納するケースと、このケースに設けられ、ケース内に収納されたインスタントフイルムを１枚ずつケース外に排出する排出口と、インスタントフイルムを一枚ずつ掻き出して排出口に送り込むクロー部材が挿入されるクロー開口とを備えたインスタントフイルムパックにおいて、
前記クロー開口を光密に塞ぐとともに、クロー部材の掻き出し動作によってクロー開口を開放するクロー開口遮光部材を設けたことを特徴とするインスタントフイルムパック。
【請求項４】
前記クロー開口遮光部材は、クロー開口を塞ぐようにして貼付された易切断性材料であることを特徴とする請求項３記載のインスタントフイルムパック。
【請求項５】
前記易切断性材料は、アルミ箔であることを特徴とする請求項４記載のインスタントフイルムパック。
【請求項６】
前記易切断性材料は、少なくとも一方向に切断されやすくされたプラスチックフイルムからなり、この切断方向がクロー部材の掻き出し動作方向に沿うように配置したことを特徴とする請求項４記載のインスタントフイルムパック。
【請求項７】
前記クロー開口は、ケースの背面に形成され、クロー部材のケース内への侵入に用いられるクロー挿入部と、ケースの底面に形成され、クロー部材の掻き出し動作に用いられるクロー移動部とからなり、
前記クロー開口遮光部材は、クロー開口を塞ぐように貼付された可撓性シートであって、クロー移動部の周囲でのみ貼着されていることを特徴とする請求項３記載のインスタントフイルムパック。
【請求項８】
前記クロー開口は、ケースの背面に形成されてクロー部材のケース内への侵入に用いられるクロー挿入部と、ケースの底面に形成されてクロー部材の掻き出し動作に用いられるクロー移動部とからなり、
前記クロー開口遮光部材は、クロー移動部を塞ぐ閉じ位置から、クロー移動部を開放する開き位置へと移動自在とされた遮光板と、この遮光板に取り付けられ、遮光板が閉じ位置にあるときにクロー挿入部を光密に塞ぎ、遮光板が開き位置にあるときにクロー挿入部を開放する遮光シートとからなり、該遮光板は、クロー部材の掻き出し動作によって閉じ位置から開き位置へと移動されることを特徴とする請求項３記載のインスタントフイルムパック。
【請求項９】
前記遮光板は、クロー部材の移動方向に沿ってスライド移動することを特徴とする請求項８記載のインスタントフイルムパック。
【請求項１０】
前記遮光板は、クロー部材に押圧されて回動し、クロー開口を開放することを特徴とする請求項８記載のインスタントフイルムパック。
【請求項１１】
前記遮光板には、ケースの内側から排出口の少なくとも一部を塞いでインスタントフイルムが排出口から飛び出ないようにする飛出し防止部材が取り付けられていることを特徴とする請求項８記載のインスタントフイルムパック。
【請求項１２】
前記遮光板は、排出口からその一部が送り出されて停止し、インスタントフイルムのガイドとして機能することを特徴とする請求項８乃至１１いずれか記載のインスタントフイルムパック。
【発明の詳細な説明】
【技術分野】
【０００１】
本発明は、インスタントフイルムパックに関し、更に詳しくは、ケースから送り出したインスタントフイルムに露光を行なう光学プリンタに使用される、インスタントフイルムパックの改良に関するものである。
【背景技術】
【０００２】
箱形状のケース内にモノシートタイプのインスタントフイルムを複数枚収納したインスタントフイルムパックが各種販売されている。インスタントフイルムは、感光層への露光後に、内包されている現像液によって現像を行ない、インスタントフイルム上に画像を形成する自己現像型フイルムユニットである。このインスタントフイルムは、主にインスタントカメラにセットされて使用されている。
【０００３】
インスタントフイルムは、表面側が露光側となるカバーシートと、このカバーシートの裏面側に対面して配置されるベースシートと、ベースシートに設けられた感光層，反射層，受像層と、現像液を内包する現像液ポッドと、余剰現像液を吸収するトラップ部等からなる。また、インスタントフイルムには、プリント画像の形成方法によって透過式と反射式とがある。透過式のインスタントフイルムは、露光が行なわれる露光側と、ポジ画像が現れるポジ像観察面とが異なる面に設けられている。これに対し、反射式のインスタントフイルムは、露光側とポジ像観察面とが同一面となる。
【０００４】
インスタントフイルムは、遮光包装から取り出してカメラに装填するまでの間の感光を防ぐために、遮光性を備えたケースごとカメラにセットされる。そのため、ケースには、フイルムユニットの露光側を露呈させる露光開口と、露光済みのインスタントフイルムを排出するスリット形状の排出口と、ケース内のインスタントフイルムを掻き出して排出口に送り込む周知のクロー部材が挿入されるクロー開口とが設けられている（例えば、特許文献１参照）。
【０００５】
ケースの各開口は、次のような部材によって遮光されている。まず排出口は、遮光性と可撓性とを有するシート状の遮光フラップが外側から貼付されて塞がれる。また、露光開口の遮光には、最上層のインスタントフイルムと露光開口との間に挟み込まれる遮光カバーが用いられる。クロー開口は、遮光性と可撓性とを有する遮光シートによって塞がれている。この遮光シートは、遮光カバーに一端が取り付けられている。遮光カバーは、カメラへのインスタントフイルムパックの装填完了後に、クロー部材によってケースから排出され、その際に遮光フラップを押圧して排出口を開放し、クロー開口の遮光シートを一緒にケース外に排出する。
【０００６】
また、従来のカメラ用インスタントフイルムパックでは、落下させたり、強い衝撃を与えたときに、排出口からインスタントフイルムが飛び出してしまうことがあった。これを防止するために、排出口の一部を内側から塞ぐ飛出し防止フラップが設けられている。この飛出し防止フラップも遮光カバーに取り付けられており、遮光カバーとともにケース外に排出されるようになっている。
【０００７】
インスタントフイルムが備えている、短時間で露光が完了する、露光後に短時間でプリントを得ることができる、現像時に廃棄物が出ない、比較的簡単な機構で現像を行なうことができる等の特性を利用して、インスタントフイルムを記録メディアとして利用する光学プリンタが各種発明されている（例えば、特許文献２及び特許文献３参照）。
【０００８】
特許文献２及び３記載の光学プリンタは、インスタントフイルムを搬送しながら、ライン状の露光ヘッドで１ラインずつ画像を露光するラインプリント方式を用いている。そのため、この光学プリンタに使用するインスタントフイルムパックのケースには、露光側全体を露呈させる露光開口は必要ない。そこで、特許文献２記載のインスタントフイルムパックでは、ケースにスリット状の露光開口を形成している。また、特許文献３記載の光学プリンタでは、ケースからインスタントフイルムを送り出してから露光を行なうようにしている。
【０００９】
【特許文献１】特開２０００−０８９３５１号公報
【特許文献２】特開２００１−３５６４２３号公報
【特許文献３】特開２００２−２２１７７８号公報
【発明の開示】
【発明が解決しようとする課題】
【００１０】
インスタントフイルムパックから露光側全体を露呈させる大きさの露光開口を省略すると、当然ながら遮光カバーも不必要となる。また、遮光カバーを省略すると、遮光カバーに取り付けられていた遮光シートと、飛出し防止フラップとをケースに取り付けなければならない。従来の遮光シート及び飛出し防止フラップは、遮光カバーとともに排出されていた。しかしながら、遮光シートと飛出し防止フラップとをケースに取り付けた場合、これらはそのままケース内に残るため、クロー部材の動作やインスタントフイルムの排出に影響を及ぼすことが懸念される。
【００１１】
本発明は、上記課題を解決するためのもので、クロー部材の動作とインスタントフイルムの排出とに悪影響を及ぼすことなく、クロー開口の遮光とインスタントフイルムの飛び出し防止とを施すことを目的とする。
【課題を解決するための手段】
【００１２】
本発明のインスタントフイルムパックは、排出口の内側に、排出口の少なくとも一部を塞いでインスタントフイルムが該排出口から飛び出ないようにする、飛出し防止部材を取り付けたものである。また、飛出し防止部材としては、一端がケース内に貼着され、他端が排出口の少なくとも一部を塞ぐように配置された可撓性シートから構成し、排出中のインスタントフイルムに押圧されて屈曲して、排出口を開放するようにしたものである。
【００１３】
また、クロー開口を光密に塞ぐとともに、クロー部材の掻き出し動作によってクロー開口を開放するクロー開口遮光部材を設けたものである。クロー開口遮光部材としては、クロー開口を塞ぐようにして貼付された易切断性材料を用いたものである。易切断性材料としては、アルミ箔や、少なくとも一方向に切断されやすくされたプラスチックフイルム等が用いられる。当然のことながら、プラスチックフイルムの切断方向は、クロー部材の掻き出し動作方向に沿うように配置する。
【００１４】
また、クロー開口が、ケースの背面に形成されてクロー部材のケース内への侵入に用いられるクロー挿入部と、ケースの底面に形成されてクロー部材の掻き出し動作に用いられるクロー移動部とからなる場合には、クロー開口遮光部材として、クロー開口を塞ぐように貼付された可撓性シートを用い、クロー移動部の周囲でのみ接着するようにしたものである。
【００１５】
また、クロー移動部を塞ぐ閉じ位置と、クロー移動部を開放する開き位置との間で移動自在とされた遮光板と、この遮光板に取り付けられ、遮光板が閉じ位置にあるときにクロー挿入部を光密に塞ぐ遮光シートとから、クロー開口遮光部材を構成したものである。遮光板は、クロー部材に沿ってスライド移動させてもよいし、回動させることもできる。
【００１６】
更に、遮光板には、飛出し防止部材を取り付けてもよい。また、遮光板の一部を排出口から送り出して停止させ、インスタントフイルムのガイドとして機能させることもできる。
【発明の効果】
【００１７】
本発明のインスタントフイルムパックは、排出口の内側に飛出し防止部材を取り付けたので、振動や衝撃等によってインスタントフイルムが排出口から飛び出すのを防止することができる。飛出し防止部材には、排出中のインスタントフイルムに押されて屈曲する可撓性シートを用いたので、インスタントフイルムの送り出しを妨げることはない。
【００１８】
また、クロー開口の遮光に、クロー部材の掻き出し動作によってクロー開口を開放するクロー開口遮光部材を用いたので、クロー開口の開放のために、特別な部品を設ける必要はない。更に、クロー開口遮光部材として、アルミ箔や、少なくとも一方向に切断されやすくされたプラスチックフイルム等の易切断性材料を用いたので、クロー部材に負荷をかけずに簡単に切断して、クロー開口を開放することができる。
【００１９】
更に、クロー開口のクロー移動部とクロー挿入部とを可撓性シートで塞ぎ、クロー移動部の周囲でのみ可撓性シートを接着するようにしたので、クロー部材のクロー開口への侵入には負荷がかからない。また、クロー部材でクロー開口を開放する際に、可撓性シートがクロー部材とインスタントフイルムとに挟み込まれて屈曲され、折り畳まれるので、可撓性シートがインスタントフイルムの送り出しを阻害することはない。
【００２０】
また、遮光板によってクロー開口のクロー移動部を遮光するようにしたので、破れなどが発生して光漏れが発生することはない。更に、クロー挿入部の遮光に遮光シートを用いたので、遮光板の形状や動きを簡素化することができ、クロー部材のクロー開口への侵入には負荷がかからない。また、遮光板の開放位置への動作には、スライドや回動等を用いることができるので、フイルムパックの形状やサイズ、クロー部材の移動ストローク等に応じて適宜選択することができる。
【００２１】
更に、遮光板に飛出し防止部材を取り付けたので、遮光板の移動によって、インスタントフイルムの送り出しの邪魔にならない位置に飛出し防止部材を移動させることができる。また、遮光板の一部をケースから突出させてインスタントフイルムのガイドとして機能させるようにしたので、構成部品を有効に利用することができる。
【発明を実施するための最良の形態】
【００２２】
図１〜図４は、本発明を実施した光学プリンタ用インスタントフイルムパック（以下、フイルムパックと略称する）の外観斜視図，分解斜視図及び要部断面図である。フイルムパック２は、複数枚のインスタントフイルム３と、これらのインスタントフイルムを積み重ねて収納するケース４とからなる。インスタントフイルム３は、露光が行なわれる露光側と、画像が形成されるポジ像観察面とが異なる面に設けられた透過型インスタントフイルムである。図中に示す上面５ａはポジ像観察面であり、下方に向けられている面が露光側である。また、ポジ像観察面５ａの左方の余白部分６には現像液が内包されている。
【００２３】
インスタントフイルム３の断面図である図５に示すように、インスタントフイルム３は、表面側が露光側となるカバーシート８と、表面側がポジ像観察面５ａとなるベースシート５と、現像液９を内包した現像液ポッド１０と、余剰現像液を吸収するトラップ部１１と、これらを保持するマスクシート１２とからなる。カバーシート８とベースシート５とは透光性を有しており、ベースシート５には感光層５ｂ，拡散反射層，受像層等が設けられている。
【００２４】
プリント時には、感光層５ｂに対してプリント光が照射され、感光層が感光される。現像時には、後述する現像機構によって現像液ポッド１０が裂開され、カバーシート８とベースシート５との間に現像液９が流し込まれる。すると、感光層５ｂには光化学的に潜像が形成され、この潜像が拡散反射層によって反転されて受像層に転写される。これにより、ポジ像観察面５ａには露光時の画像に対して反転されたポジ像が形成される。
【００２５】
ケース４は、箱形状で上面が開放されたケース本体１５と、このケース本体１５の上面に取り付けられてケース本体１５を塞ぐケース蓋１６とからなる。ケース本体１５とケース蓋１６とは、遮光性を有するプラスチックで形成されている。ケース本体１５の前面１５ａには、収納したインスタントフイルム３が現像液ポッド１０側から１枚ずつ送り出される、スリット状の排出口１７が形成されている。また、ケース本体１５の底面１５ｂ及び背面１５ｃには、ケース４内のインスタントフイルム３を排出口１７に向けて送り出す周知のクロー部材が挿入されるクロー開口１８が形成されている。
【００２６】
排出口１７には、外側から遮光フラップ２０が貼り付けられる。この遮光フラップ２０は、遮光性を付与されたポリエステルやＰＥＴ等で形成されており、可撓性を有している。遮光フラップ２０は、接着剤２１によってケース本体１５に貼り付けられる。この接着剤２１は、排出口１７の周囲を除いて遮光不タップ２０を貼り付けているため、ケース４から送り出されるインスタントフイルム３によって遮光フラップ２０が押圧されることにより、排出口１７を開放する。
【００２７】
また、排出口１７の内側には、排出口１７の中央近傍を部分的に塞ぐ飛出し防止フラップ２３が取り付けられている。飛出し防止フラップ２３は、ポリエステルやＰＥＴ等によって形成されて可撓性を有しており、断面が略Ｌ字形状となるように屈曲されている。飛出し防止フラップ２３の屈曲されてなる一方の水平面は、ケース本体１５の底面１５ｂに接着剤２４で接着される。また屈曲されてなる他方の垂直面は、その先端縁が排出口１７の上のケース本体前面１５ａに当接する。
【００２８】
落下等によって強い衝撃や振動がフイルムパック２に与えられると、ケース４内のインスタントフイルム３が排出口１７から外に飛び出そうとする場合がある。飛出し防止フラップ２３は、自らの弾性力によって排出口１７の中央部を塞ぎ、インスタントフイルム３の排出口１７からの飛び出しを防止する。なお、飛出し防止フラップ２３の弾性力は、ケース４から送り出される際のインスタントフイルム３の押圧によって屈曲され、その先端縁が排出口１７内に押し込まれる程度である。
【００２９】
クロー開口１８のケース本体１５の背面１５ｃに設けられている部分は、クロー部材がケース４内に侵入するためのクロー挿入部１８ａである。また、クロー開口１８のケース本体底面１５ｂに設けられている部分は、クロー部材がケース４内で移動するためのクロー移動部１８ｂである。
【００３０】
上記クロー開口１８は、遮光性と可撓性とを有し、かつ簡単に破れやすい易切断性を有する遮光シート２６によって塞がれる。遮光シート２６は、接着剤２７によってケース本体１５内のクロー開口１８の周囲に接着される。遮光シート２６の材質としては、アルミ箔や、分子の方向を揃えて一方向に切断しやすくしたポリエステル，ナイロンなどのプラスチックフイルムが用いられる。この遮光シート２６は、最初のインスタントフイルム３の送り出し時に、クロー部材によって裂開される。そのため、プラスチックフイルムを用いる場合には、その切断方向がクロー部材の移動方向に沿うように貼着される。
【００３１】
ケース蓋１６は板状であり、その内面には、ケース本体１５に収納された複数枚のインスタントフイルム３の、フイルム送り出し方向に沿う両側辺を押圧する円弧状のリブ３０が対で形成されている。このリブ３０の間には、長穴状の二つの押圧開口３１と、二つの溶着ピン３２と、板状の押圧片３３とが設けられている。二つの押圧開口３１は、フイルムパック２が光学プリンタにセットされたときに、プリンタ内に設けられた押圧部材が挿入される開口である。溶着ピン３２は、ケース蓋１６の内側に弾性シート３５を取り付ける際に使用される。押圧片３３は、弾性シート３５に形成されたスリット３５ａに挿通されて、インスタントフイルム３の上面中央部を下方に向けて押し下げる。
【００３２】
弾性シート３５は、遮光性を有するプラスチックで形成された薄板であり、フイルムパック２が未使用状態であるときには、ケース蓋１６の押圧開口３１を塞いでケース４内を遮光する。また、フイルムパック２が光学プリンタにセットされて押圧部材が押圧開口３１から挿入された際には押圧部材の押圧によって屈曲し、押圧部材の押圧力と弾性シート３５自体の弾性力とによって、インスタントフイルム３全体を下方に押し下げる。
【００３３】
図６は、上記フイルムパック２を使用する光学プリンタの構成を示す概略図である。光学プリンタは、例えば横置きされて使用されるように構成されており、上面に開閉自在なフイルム装填蓋３８が設けられている。このフイルム装填蓋３８を開放すると、フイルムパック２が装填されるパック室３９が露呈される。フイルム装填蓋３８の内面には、フイルムパック２の押圧開口３１に挿入される押圧突起４０が設けられている。詳しくは図示しないが、この押圧突起４０は押圧方向に沿って伸縮自在とされており、ケース４内のインスタントフイルム３の残り枚数が少なくなるのに応じて突出量が増加する。
【００３４】
以下、フイルムパック２の前面１５ａがセットされる方向をパック室前方として、その反対側をパック室後方と呼ぶ。パック室３９の後方下部には、インスタントフイルム３を排出口１７に向けて送り出すクロー部材４２が配置されている。クロー部材４２は、ケース４内のインスタントフイルム３の間に差し込まれる挿入突起４２ａと、この挿入突起４２ａとともにインスタントフイルム３を挟み込む挟持突起４２ｂとを有するカギ爪形状をしている。挿入突起４２ａと挟持突起４２ｂとの間には、インスタントフイルム３の厚みよりも僅かに大きい程度の隙間しか設けられていない。
【００３５】
図７に示すように、クロー部材４２は、フイルムパック２の側方でインスタントフイルム３の送り出し方向に沿って配置された回転ステー４４に取り付けられている。この回転ステー４４は、回転中心Ｃを中心に回動自在とされ、かつフイルム送り出し方向に沿う往復方向で移動自在とされている。また、回転ステー４４は、バネ４５によって図中時計方向に付勢されて、図６に示す初期位置に保持されている。この回転ステー４４は、クロー用モータ４６と、このクロー用モータ４６の回転を水平方向の往復移動に変換して伝達するクロー駆動機構４７とによって、フイルム送り出し方向に沿って往復移動される。
【００３６】
クロー部材４２は、回転ステー４４によって、図６中に示す初期位置から、二点鎖線で示す右方の掻き出し位置まで移動される。その移動途中で、挟持突起４２ｂが最下層のインスタントフイルム３に当接し、クロー部材４２が回転中心Ｃを中心に反時計方向に回動される。これにより、挿入突起４２ａの高さ位置が調整され、最下層にあるインスタントフイルム３だけがクロー部材４２に引っ掛けられて排出口１７から送り出される。
【００３７】
パック室の前方には、クロー部材４２によってケース４から送り出されたインスタントフイルム３を一定速度で搬送する搬送ローラ対４９が配置されている。図８に示すように、この搬送ローラ対４９は、現像液ポッド１０に強い押圧力が加わって裂開するのを防ぐために、上部ローラ４９ａが丸棒形状で、下部ローラ４９ｂはインスタントフイルム３の両側端縁にのみ当接する形状とされている。また、下部ローラ４９ｂが搬送用モータ５０によって回転される駆動ローラであり、上部ローラ４９ａがインスタントフイルム３の搬送に従って回転する従動ローラである。上部ローラ４９ａは、インスタントフイルム３の厚み変動に追従するために、上下方向で移動自在とされている。
【００３８】
搬送ローラ対４９の前方には、インスタントフイルム３の現像を行なう展開ローラ対５２が配置されている。周知のように、展開ローラ対５２は、強い押圧力でインスタントフイルム３を挟み込んで現像液ポッド１０を裂開し、カバーシート８とベースシート５との間に現像液９を流し込み、かつ後端まで均一に展開する。そのため、強い押圧力によって撓まない剛性を得るために、硬質の鉄鋼材で形成されている。なお、展開ローラ対５２のうち、上部に配置されている上部ローラ５２ａが搬送用モータ５０によって回転される駆動ローラであり、下部ローラ５２ｂが上部ローラ５２ａに従動して回転する従動ローラである。また、下部ローラ５２ｂは、インスタントフイルム３の厚み変動に追従するために、上下方向で移動自在とされており、更に強い押圧力で上方に付勢されている。
【００３９】
パック室３９の前方下部の搬送ローラ対４９との間には、搬送ローラ対４９によって搬送されるインスタントフイルム３の感光層５ｂに、プリント光を照射して１ラインずつ露光を行なう露光ヘッド５４が配置されている。露光ヘッド５１は、赤，緑，青の光源、例えばＬＥＤと、このＬＥＤから放射された光をインスタントフイルム３の感光層５ｂに結像する光学系と、ＬＥＤから放射された光を適宜遮断するＬＣＤシャッタとからなり、上面に設けられたプリント光照射部５４ａからプリント光が放射される。この露光ヘッド５４は、ヘッドドライバ５５によって駆動される。
【００４０】
上記光学プリンタは、ＣＰＵや動作プログラムが記憶されたＲＯＭを含むシステムコントローラ５７によって全体が制御される。また、光学プリンタは、赤外線通信機能を備えたデジタルカメラ内蔵型携帯電話（以下、携帯電話と略称する）から画像データを受け取るために、赤外線受信装置５８を備えている。この赤外線受信装置５８には、赤外線を受信する受信部６２が接続されている。赤外線受信装置５８で受信した画像データは、画像メモリ５９に記録される。そして、プリントデータ生成部６０によって露光ヘッド用のプリントデータに変換され、ヘッドドライバ５５に読み出されてインスタントフイルム３に露光される。
【００４１】
次に、上記実施形態の作用について説明する。図６に示すように、光学プリンタの使用に先立ち、パック室３９にフイルムパック２を装填する。販売時のフイルムパック２は、遮光袋等に包装されて光や湿気から保護されているため、この包装袋からフイルムパック２を取り出す。フイルムパック２は、排出口１７とクロー開口１８とが遮光フラップ２０と遮光シート２６とによって遮光されているため、インスタントフイルム３が露光されることはない。
【００４２】
フイルムパック２を光学プリンタにセットする際に、誤ってフイルムパック２を落下させてしまうことがある。しかしながら、排出口１７の内側に取り付けられた飛出し防止フラップ２３が、衝撃によってケース４から飛び出そうとするインスタントフイルム３の排出口１７への移動を阻止するので、インスタントフイルム３が露光されることはない。
【００４３】
次いで、光学プリンタのフイルム装填蓋３８を開放し、装填方向を確認してパック室３９にフイルムパックを装填する。そして、フイルム装填蓋３８を閉じると、フイルム装填蓋３８の内面に設けられた押圧突起４０がフイルムパック２の押圧開口３１内に入り込み、弾性シート３５を介してインスタントフイルム３を下方に押し下げる。これにより、最下層のインスタントフイルム３がケース４の底面に密着するため、クロー部材４２に引っ掛かりやすく、かつ排出口１７から排出しやすくなる。
【００４４】
光学プリンタの電源スイッチを操作して電源をオンする。次いで、携帯電話の赤外線送受信部を光学プリンタの赤外線受信部６２に向け、送信操作を行なう。光学プリンタのシステムコントローラ５７は、赤外線受信部６２から入力された受信信号に応じて、赤外線受信装置５８を動作させ、赤外線による画像データの受信を開始する。受信した画像データは、画像メモリ５９に記録される。プリントデータ生成部６０は、画像メモリ５９から画像データを読み出してプリントデータに変換し、このプリントデータを画像メモリ５９に記録する。ヘッドドライバ５５は、画像メモリ５９からプリントデータを読み出して待機する。
【００４５】
システムコントローラ５７は、画像データの受信完了後、モータドライバ６４，６５を制御してクロー用モータ４６と搬送用モータ５０とを駆動させる。クロー部材４２は、図９（Ａ）に示す初期位置から、同図（Ｂ）に示す右方の掻き出し位置に向けて移動を開始し、クロー開口１８のクロー挿入部１８ａからケース４内に侵入する。クロー部材４２は、クロー開口１８を塞いでいる遮光シート２６を切断してケース４内に入り、更に遮光シート２６を切断しながら掻き出し位置に向けて移動する。
【００４６】
このように、クロー開口１８を塞ぐ遮光シート２６に易切断性材料を使用することによって、クロー部材４２で簡単にクロー開口１８を開放することができる。また、易切断性材料は、クロー部材４２によって加えられた力が、他の部分に及ぶ前に切断されてしまうため、遮光シート２６のケース４への接着部分が剥がれてしまうことはない。そのため、遮光シート２６が垂れ下がってクロー部材４２の動作やインスタントフイルム３の搬送を邪魔することはない。
【００４７】
クロー部材４２の挟持突起４２ｂは、掻き出し位置に到達する途中で最下層のインスタントフイルム３に当接する。これにより、クロー部材４２は回転中心ｃを中心に反時計方向に回動し、挿入突起４２ａの高さ位置が最下層のインスタントフイルム３に合わせて調整される。これにより、最下層のインスタントフイルム３だけがクロー部材４２に引っ掛けられて、排出口１７に向けて押圧される。
【００４８】
図１０（Ａ）に示す最下層のインスタントフイルム３は、クロー部材４２の押圧によってケース４内を前方に向けて移動し、同図（Ｂ）に示すように、その先端で飛出し防止フラップ２３を押圧する。飛出し防止フラップ２３は、インスタントフイルム３の押圧によって屈曲し、先端縁が排出口１７に挿入される。次いで、インスタントフイルム３の先端は、遮光フラップ２０を押圧して屈曲させ、排出口１７を開放してケース４外に送り出される。
【００４９】
このように、ケース４に取り付けた飛出し防止フラップ２３は、排出口１７に押し込まれてインスタントフイルム３の送り出し方向に沿うため、飛出し防止フラップ２３がインスタントフイルム３の送り出しを邪魔することはない。
【００５０】
クロー部材４２によってケース４外に送り出されたインスタントフイルム３は、搬送ローラ対４９によって挟み込まれ一定速度で搬送される。感光層５ｂが露光ヘッド５４に到達すると、システムコントローラ５７はヘッドドライバ５５を制御して露光ヘッド５４を駆動させ、プリント光照射部５４ａから感光層５ｂに向けて１ラインずつプリント光を照射させる。カバーシート８を透過したプリント光は、感光層５ｂを感光する。
【００５１】
インスタントフイルム３の先端が展開ローラ対５２まで達すると、インスタントフイルム３は展開ローラ対５２によって挟み込まれる。展開ローラ対５２は、現像液ポッド１０を裂開し、現像液９をカバーシート８とベースシート５の間に流し込み、かつ均一に展開する。現像液９に接触した感光層５ｂは、潜像を形成する。この潜像は、拡散反射層によって反転され、受像層に転写される。なお、露光ヘッド５４と展開ローラ対５２との位置を離して配置しているため、現像液９が露光前の感光層の部分まで流れることはない。
【００５２】
カバーシート８とベースシート５の間に流し込まれて余った現像液９は、トラップ部１１に吸収される。その後、インスタントフイルム３は、展開ローラ対５２によって光学プリンタの外に排出され、所定時間の経過後、ポジ像観察面５ａにポジ画像が現れる。
【００５３】
なお、排出口１７から突出した飛出し防止フラップ２３の突出量が大きすぎると、露光ヘッド５４の感光層５ｂへの露光を阻害してしまうことがある。これを確実に防止するには、図１１（Ａ）に示すフイルムパック７０のように、ケース本体１５の前面１５ａに飛出し防止フラップ７１の一端を接着し、他端をケース本体１５の底面に沿って屈曲させるとよい。この飛出し防止フラップ７１は、同図（Ｂ）に示すように、インスタントフイルム３の排出時に排出口１７から突出されてインスタントフイルム３の上に配置されるので、露光ヘッド５４の感光層５ｂへの露光を阻害することはない。
【００５４】
また、クロー開口１８の遮光シートとインスタントフイルム３との干渉を防止するために、図１２（Ａ）に示すフイルムパック７３のように、ケース４の外側に遮光シート７４を貼り付けてもよい。この場合、クロー部材４２で遮光シート７４を切断してもよいし、同図（Ｂ）に示すように、クロー部材４２とは別の切断部材７５をクロー開口１８内で移動させて遮光シート７４を切断することもできる。
【００５５】
更に、上記実施形態では、易切断性材料で形成された遮光シートでクロー開口１８を遮光したが、光学プリンタへのセット時等に、誤って遮光シートを破損させてしまうことがある。これを防止するために、図１３（Ａ）に示すフイルムパック７７のように、易切断性を有しない通常のプラスチックフイルムで形成された遮光シート７８を使用してクロー開口１８を塞いでもよい。
【００５６】
図１３（Ｂ）に示すように、１枚目のフイルム送り出し時には、遮光シート７８がクロー部材４２によって切断されないため、クロー部材４２は遮光シート７８の間にインスタントフイルム３を挟み込むようにして、最下層のインスタントフイルム３を排出口１７に向けて送り出す。遮光シート７８はケース４内に残るが、同図（Ｃ）に示すように、クロー部材４２とインスタントフイルム３とによって屈曲されて折り畳まれるため、以降のインスタントフイルム３の送り出しの邪魔にはならない。
【００５７】
遮光シート７８を図１３（Ｃ）に示すように折り畳むためには、クロー部材４２がクロー開口１８に侵入した時点で、遮光シート７８がクロー部材４２とインスタントフイルム３とに沿って屈曲し、インスタントフイルム３を挟み込むようにしなくてはならない。これは、遮光シート７８のクロー開口１８の周囲への接着状態を工夫することによって可能となる。
【００５８】
例えば、図１４（Ａ）に示すように、クロー開口１８のクロー移動部１８ｂの周囲の接着部（ハッチング部分）８０でのみ遮光シート７８をケース本体１５に接着し、クロー挿入部１８ａの周囲には接着を行なわない。これによれば、クロー部材４２がクロー挿入部１８ａに侵入した時点での遮光シート７８の自由度が高くなるため、クロー部材４２とインスタントフイルム３とに沿って屈曲させることができるようになる。
【００５９】
また、遮光シート７８をきれいに折り畳むことのできるその他の接着方法としては、図１４（Ｂ）に示すように、遮光シート７８の水平部分の端部をクロー開口１８の端に設けられた接着部８２に接着する方法がある。また、同図（Ｃ）に示すように、遮光シート７８の水平部分の端部をクロー開口１８の端の接着部８３に接着するとともに、クロー開口１８の両側方では、複数の点状の接着部８４で接着する方法も有効である。
【００６０】
上記各実施形態では、クロー開口に遮光シートを貼付して塞いでいたが、移動式の遮光板を利用してクロー開口を開閉することもできる。図１５及び図１６にに示すフイルムパック８７では、クロー開口１８のクロー移動部１８ｂの周囲に凹部８８を形成し、この凹部８８内に遮光性を有するプラスチックで形成された遮光板８９を収納して、クロー移動部１８ｂを塞いでいる。遮光板８９の上には、遮光性と可撓性とを有するプラスチックフイルムで形成された遮光スカート９０が貼付されている。図１７（Ａ）に示すように、この遮光スカート９０は、クロー開口１８のクロー挿入部１８ａの周囲に貼付されて遮光するとともに、遮光板８９の周囲の遮光も行なう。
【００６１】
遮光板８９の下面には、クロー開口１８のクロー移動部１８ｂ内に嵌合される一対のスライド爪９２が一体に形成されている。ケース本体１５と遮光板８９との要部断面図である図１８に示すように、スライド爪９２は外側に屈曲されてクロー移動部１８ｂに係合するようになっており、遮光板８９がクロー開口１８から抜け出るのを防止している。遮光板８９のケース本体１５への取り付けは、スライド爪９２をクロー移動部１８ｂに合わせて強く押し込めばよい。スライド爪９２は、弾性変形してクロー移動部１８ｂ内に係合する。
【００６２】
図１７（Ｂ）に示すように、上記フイルムパック８７は、クロー部材４２の最初の移動によって遮光板８９と遮光スカート９０だけが引っ掛けられ、フイルム送り出し方向に移動される。これにより、図１９に示すように、クロー開口１８が開放される。遮光スカート９０は、上述の実施形態で説明した遮光シート７８と同様に、クロー部材４２とインスタントフイルム３とによって折り畳まれる。遮光板８９は、遮光シートのように破れることがないため、フイルムパックの遮光をより確実なものにすることができる。
【００６３】
なお、遮光板８９はインスタントフイルム３に比べてかなり薄いが、遮光板８９とインスタントフイルム３とがクロー部材４２によって同時に移動されることはない。それは、クロー部材４２の挿入突起４２ａと挟持突起４２ｂとの間に、インスタントフイルム３と遮光板８９とを同時に引っ掛ける隙間は設けられておらず、また挟持突起４２ｂが遮光板８９に当接してクロー部材４２が回動し、挿入突起４２ａの高さ位置が遮光板８９に合わせて調整されるためである。
【００６４】
また、上記実施形態では、スライド爪９２によって遮光板８９をケース本体１５に取り付けていたが、図２０，〜図２１（Ａ），（Ｂ）に示すフイルムパック９５のように、遮光板９６の上に被せるようにして、ケース本体１５の底面に押さえシート９７を貼り付けてもよい。これによれば、押さえシート９７によって遮光板９６が押さえられるため、遮光板９６が浮き上がってインスタントフイルム３が感光されるようなことはない。なお、遮光板９６には、クロー開口１８のクロー挿入部１８ａを塞ぐ遮光スカート９８が取り付けられている。
【００６５】
更に、上記実施形態では、クロー部材の移動方向に沿ってスライド移動する遮光板を用いたが、図２２に示すフイルムパック１００のように、クロー部材４２の移動によって回動される遮光板１０１を用いてもよい。ケース本体１５の底面のクロー開口１８の周囲には、遮光板１０１が収納される凹部１０５が形成されている。遮光板１０１の角部には、穴１０２が形成されている。この穴１０２に挿通されたネジ１０３が、ケース本体１５の底面に形成されたネジ穴１０４に螺合することによって、遮光板１０１はケース本体１５に回動自在に取り付けられる。遮光板１０１の上面には、クロー開口１８のクロー挿入部１８ａと遮光板１０１の周囲とを遮光する遮光スカート１０７が取り付けられている。
【００６６】
フイルムパック１００が未使用のときの遮光板１０１は、図２３（Ａ）に示すように、フイルム搬送方向に沿って配置され、クロー開口１８を塞いでいる。フイルムパック２が光学プリンタにセットされると、クロー部材４２が最初のフイルム掻き出し動作を行なうが、その際に遮光板１０１の後端縁がクロー部材４２に引っ掛けられ、同図（Ｂ）に示すように、遮光板１０１は反時計方向に回動する。これにより、クロー開口１８が露呈されるので、次のクロー部材４２の移動によって最下層のインスタントフイルム３が送り出されるようになる。
【００６７】
また、上記実施形態では、小さなサイズの遮光板を用いたが、図２４に示すフイルムパック１１０のように、ケース本体１５の幅いっぱいの大きさを有する遮光板１１１を使用してもよい。遮光板１１１には、クロー開口１８のクロー挿入部１８ａを遮光する遮光スカート１１２が取り付けられている。
【００６８】
図２５（Ａ）に示すように、フイルムパック１１０が未使用のときの遮光板１１１は、ケース本体１５の後方部に配置されてクロー開口１８を塞いでいる。フイルムパック２が光学プリンタにセットされると、クロー部材４２が最初のフイルム掻き出し動作で遮光板１１１を引っ掛け、同図（Ｂ）に示すように、遮光板１１１をケース本体１５の前方に向けてスライドさせる。これにより、クロー開口１８が露呈されるので、次のクロー部材４２の移動によって最下層のインスタントフイルム３が送り出されるようになる。
【００６９】
なお、遮光板１１１は、重量も重くなるため、光学プリンタを動かしたときにケース本体１５の後方に移動して、クロー開口１８を塞いでしまうことがある。そのため、遮光板１１１の両側端縁に切欠１１１ａを形成しておき、遮光板１１１が開放位置に移動したときに、ケース本体１５の両側面内壁に形成されたリブ１１４に係合させるとよい。
【００７０】
また、上記実施形態は、クロー部材の最初の掻き出し動作で遮光板を移動させ、次の掻き出し動作からインスタントフイルムの送り出しを行なうようにしたが、遮光板の移動とフイルムの送り出しとを同時に行なうこともできる。図２６に示すフイルムパック１２０は、クロー開口１８のクロー移動部１８ｂを遮光板１２１で塞ぎ、クロー挿入部１８ａを遮光板１２１の上面端部に取り付けられた遮光スカート１２２で塞いでいる。遮光板１２１の下面には、クロー移動部１８ｂ内にスライド自在に嵌合される係合突起１２３が一体に形成されている。
【００７１】
フイルムパック１２０が未使用の際の遮光板１２１は、図２７（Ａ）に示すように、ケース本体１５の後方部に配置され、クロー開口１８を塞いでいる。フイルムパック２が光学プリンタにセットされると、クロー部材１２４が最初のフイルム掻き出し動作を行なうが、その際に端部に形成された押圧部１２５を遮光板１２１の係合突起１２３に係合させ、フイルム送り出し方向に押圧する。これにより、クロー開口１８が開放される。
【００７２】
また、図２７（Ｂ）に示すように、クロー部材１２４のフイルム係止部１２６は、開放されたクロー開口１８内に侵入してインスタントフイルム３の端部を引っ掛け、排出口１７に向けて押圧する。このように、クロー部材の最初の掻き出し動作で、遮光板の移動とインスタントフイルムの送り出しとを同時に行なうようにしたので、フイルムパック装填後すぐにプリントを行なうことができる。
【００７３】
また、上記各実施形態では、先に露光が行なわれるインスタントフイルムのポジ像観察面の上に、次に露光が行なわれるインスタントフイルムの露光側が対面するようにインスタントフイルムを積層している。これに対し、本実施形態のフイルムパック１３０では、図２８に示すように、感光層５ｂが上方を向くようにケース本体１５内にインスタントフイルム３を積層し、最下層のインスタントフイルム３から順に露光を行なうようにした。
【００７４】
また、遮光板として、インスタントフイルム３と同程度の大きさの遮光板１３２を使用した。これにより、遮光板１３２に飛出し防止フラップ１３３と、遮光シート１３４とを取り付けることができる。図２９（Ａ）に示すように、未使用時のフイルムパック１３０は、遮光板１３２がケース本体１５内の後方に配置され、遮光シート１３４とともにクロー開口１８を塞いでいる。また、図３０（Ａ）に示すように、排出口１７は、遮光フラップ２０によって塞がれて遮光されている。排出口１７の奥には飛出し防止フラップ１３３が配置されて、遮光板１３２及びインスタントフイルム３の飛び出しが防止されている。
【００７５】
なお、本実施形態のフイルムパック１３０を使用する光学プリンタは、インスタントフイルム３の感光層５ｂが上方に向けられているため、フイルム搬送経路の上方に露光ヘッド１３６が配置されている。
【００７６】
図２９（Ｂ）に示すように、フイルムパック１３０が光学プリンタにセットされると、クロー部材４２は、遮光板１３２を引っ掛けてケース本体１５内の前方に移動させる。図３１に示すように、遮光板１３２は、飛出し防止フラップ１３３とともに排出口１７からケース４の外に排出される。しかし、遮光板１３２は、先端部分１３２ａに比べて後端部分１３２ｂの幅寸法が大きくされており、この後端部分１３２ｂは排出口１７を通過できないようにされている。そのため、遮光板１３２は、先端部分１３２ａを排出口１７から突出させた状態で停止される。
【００７７】
ケース４から突出された遮光板１３２は、その先端縁が搬送ローラ対４９の近傍まで達するが、搬送ローラ対４９の下部ローラ４９ｂは両端部にしか設けられておらず、遮光板１３２の先端両角部も切り欠かれているため、遮光板１３２が搬送ローラ対４９にニップされることはない。
【００７８】
図３０（Ｂ）に示すように、次のクロー部材４２の掻き出し動作によって、最下層のインスタントフイルム３が排出口１７から送り出される。感光層５ｂが露光ヘッド１３６に到達すると、感光層５ｂにプリント光が照射される。先端が突出されている遮光板１３２は、排出口１７から送り出されたインスタントフイルム３を搬送ローラ対４９まで送り込むガイドとなる。そのため、インスタントフイルム３が下方に屈曲して搬送ローラ対４９にニップされなくなるようなジャミングは発生しない。また、従来のカメラ用フイルムパックのように、遮光板１３２が全て排出されることはないので、廃棄物が増えることもない。
【００７９】
なお、上記各実施形態において説明した飛出し防止フラップの取付け位置や取付け方法、クロー開口の遮光方法、インスタントフイルムの積層方法等は、それぞれ他の実施形態と適宜組み合わせて実施することもできる。また、上記各実施形態は、ポジタイプのインスタントフイルムを収納するフイルムパックを例に説明したが、本発明は、ネガタイプのインスタントフイルムを収納するフイルムパックにも適用することができる。
【産業上の利用可能性】
【００８０】
本発明は、カメラ用のフイルムパックにも適用することができる。また、感光性を有する記録メディアをケースに収納した、その他の記録メディアパックにも適用することができる。
【図面の簡単な説明】
【００８１】
【図１】本発明を実施したフイルムパックの外観を示す斜視図である。
【図２】フイルムパックの構成を示す分解斜視図である。
【図３】ケース本体の前面内壁を示す斜視図である。
【図４】フイルムパックの要部断面図である。
【図５】インスタントフイルムの要部断面図である。
【図６】光学プリンタの構成を示す概略図である。
【図７】クロー部材の構成を示す外観斜視図である。
【図８】搬送ローラ対の構成を示す外観斜視図である。
【図９】遮光シートの未使用時とフイルム送出し時の状態を示す要部断面図である。
【図１０】飛出し防止フラップの未使用時とフイルム送出し時の状態を示す説明図である。
【図１１】取付け位置の異なる飛出し防止フラップの未使用時とフイルム送出し時の状態を示す要部断面図である。
【図１２】クロー開口の外側に貼付された遮光シートの未使用時とフイルム送出し時の状態を示す要部断面図である。
【図１３】クロー開口の開放時に折り畳まれる遮光シートの折畳み状態を示す要部断面図である。
【図１４】折り畳まれる遮光シートの接着方法を示す説明図である。
【図１５】スライドしてクロー開口を開放する遮光板を示す分解斜視図である。
【図１６】遮光板によるクロー開口の閉じ状態を示す斜視図である。
【図１７】遮光板によるクロー開口の開放状態を示す要部断面図である。
【図１８】遮光板のスライド方向に直交する方向の要部断面図である。
【図１９】遮光板によるクロー開口の開放状態を示す斜視図である。
【図２０】押さえシートによって保持された遮光板を示す分解斜視図である。
【図２１】押さえシートによって保持された遮光板の開閉状態を示す斜視図である。
【図２２】回動してクロー開口を開放する遮光板を示す分解斜視図である。
【図２３】回動式遮光板の開閉状態を示す斜視図である。
【図２４】幅広サイズの遮光板を示す分解斜視図である。
【図２５】幅広サイズの遮光板の開閉状態を示す斜視図である。
【図２６】フイルム送出しと同時にスライドされる遮光板を示す分解斜視図である。
【図２７】フイルム送出しと同時にスライドされる遮光板の開閉状態を示す断面図である。
【図２８】フイルム積層方法を変更したフイルムパックの構成を示す分解斜視図である。
【図２９】インスタントフイルムと同サイズの遮光板の開閉状態を示す要部断面図である。
【図３０】インスタントフイルムと同サイズの遮光板のフイルム送り出し時状態を示す要部断面図である。
【図３１】インスタントフイルムのガイドして機能する遮光板を備えたフイルムパックの外観斜視図である。
【符号の説明】
【００８２】
２，７３，７７，８７，９５，１００，１１０，１２０，１３３  フイルムパック
３    インスタントフイルム
４    ケース
５ａ  ポジ像観察面
５ｂ  感光層
１７  排出口
１８  クロー開口
２３，１３３  飛出し防止フラップ
２６，７４，７８，１３４  遮光シート
４２，１２４  クロー部材
５４，１３６  露光ヘッド
７５  切断部材
８９，９６，１０１，１１１，１２１，１３２  遮光板
９０，９８，１０７，１１２，１２２  遮光スカート
９７  押さえシート
【図１】
2005077852.tif 000003
【図２】
2005077852.tif 000004
【図３】
2005077852.tif 000005
【図４】
2005077852.tif 000006
【図５】
2005077852.tif 000007
【図６】
2005077852.tif 000008
【図７】
2005077852.tif 000009
【図８】
2005077852.tif 000010
【図９】
2005077852.tif 000011
【図１０】
2005077852.tif 000012
【図１１】
2005077852.tif 000013
【図１２】
2005077852.tif 000014
【図１３】
2005077852.tif 000015
【図１４】
2005077852.tif 000016
【図１５】
2005077852.tif 000017
【図１６】
2005077852.tif 000018
【図１７】
2005077852.tif 000019
【図１８】
2005077852.tif 000020
【図１９】
2005077852.tif 000021
【図２０】
2005077852.tif 000022
【図２１】
2005077852.tif 000023
【図２２】
2005077852.tif 000024
【図２３】
2005077852.tif 000025
【図２４】
2005077852.tif 000026
【図２５】
2005077852.tif 000027
【図２６】
2005077852.tif 000028
【図２７】
2005077852.tif 000029
【図２８】
2005077852.tif 000030
【図２９】
2005077852.tif 000031
【図３０】
2005077852.tif 000032
【図３１】
2005077852.tif 000033